(57)【要約】【課題】レンズバリアを備えた小型なレンズ鏡筒を提供する。【解決手段】本発明のレンズ鏡筒は、光軸方向における被写体側先端部に配置されるとともに、光軸に対し垂直な方向に切った場合の所定断面が、円形状から該円の中心を通る直線を境界とした場合の一方側の一部領域および前記境界の他方側の一部領域を削除した形状のレンズＬ１と、前記レンズＬ１の被写体側を開閉するレンズバリア５０と、前記レンズバリア５０の開放状態において前記レンズバリア５０の一部５２が、前記所定断面における前記円形状から削除された領域に配置されるよう駆動するレンズバリア駆動部４４，１６，１７と、を備えることを特徴とする。【選択図】図１２
2011154167.tif 000002
【特許請求の範囲】
【請求項１】
光軸方向における被写体側先端部に配置されるとともに、光軸に対し垂直な方向に切った場合の所定断面が、円形状から該円の中心を通る直線を境界とした場合の一方側の一部領域および前記境界の他方側の一部領域を削除した形状のレンズと、
前記レンズの被写体側を開閉するレンズバリアと、
前記レンズバリアの開放状態において前記レンズバリアの一部が、前記所定断面における前記円形状から削除された領域に配置されるよう駆動するレンズバリア駆動部と、
を備えることを特徴とするレンズ鏡筒。
【請求項２】
請求項１に記載のレンズ鏡筒であって、
前記所定断面における前記円形状から削除された領域は、前記レンズにおける前記撮像部に集光される被写体光が通過する有効光路の外側であること、
を特徴とするレンズ鏡筒。
【請求項３】
請求項２に記載のレンズ鏡筒であって、
前記撮像部は縦横比の異なる長方形であり、
前記所定断面における前記円形状から削除された領域は、前記撮像部の短手方向の両側となる領域であること、
を特徴とするレンズ鏡筒。
【請求項４】
請求項１から３のいずれか１項に記載のレンズ鏡筒であって、
前記レンズバリアは、２組のバリア羽根を有し、
前記２組のバリア羽根は、レンズバリア駆動部の駆動により、
前記閉鎖状態においては、前記レンズの被写体側を覆うようにして伸展し、前記開放状態においては、前記光軸を中心とした対称位置のそれぞれに重なるようにして収納されて前記レンズの被写体側を開放し、
該開放状態において、それぞれの組のバリア羽根のうちの像側に配置されるバリア羽根は、前記所定断面における前記円形状から削除された領域を含む位置に配置され、
前記それぞれの組のバリア羽根のうちの被写体側に配置されるバリア羽根の一部は、前記所定断面における前記円形状から削除された領域よりも前記光軸方向の被写体側であり、前記レンズを光軸に対し垂直な方向に切った場合の断面が円形状となる平面に配置されて、前記レンズの被写体側面の外縁部を覆うこと、
を特徴とするレンズ鏡筒。
【請求項５】
請求項４に記載のレンズ鏡筒であって、
前記バリア羽根の前記被写体側面の前記外縁部を覆うように配置される前記一部は、前記レンズの前記被写体側の曲面に対応する傾斜形状であること、
を特徴とするレンズ鏡筒。
【請求項６】
請求項１〜５のいずれか１項に記載のレンズ鏡筒を備えるカメラ。
【発明の詳細な説明】
【技術分野】
【０００１】
本発明は、レンズ鏡筒及びカメラに関するものである。
【背景技術】
【０００２】
従来、レンズの前群とレンズバリアとが光軸方向に独立して移動し、前群とレンズバリアの相対位置が変化するレンズ鏡筒がある（たとえば、特許文献１参照）。
【先行技術文献】
【特許文献】
【０００３】
【特許文献１】特許第４０５０２３９号公報
【発明の概要】
【発明が解決しようとする課題】
【０００４】
上記従来のレンズ鏡筒において、収納状態の場合、前群は、レンズバリアが閉じることができるように、前群に対して光軸方向後方へ退避する。そして、撮影状態の場合、前群はレンズバリアに近接し、レンズバリアは前群に対して光軸方向外側に退避する。このため、レンズバリアが退避するためのスペースを前群の外周側に確保する必要があり、レンズ鏡筒の小型化の制限となっていた。
【０００５】
本発明の課題は、レンズバリアを備えた小型なレンズ鏡筒及びカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、光軸方向における被写体側先端部に配置されるとともに、光軸に対し垂直方向に切った場合の所定断面が、円形状から該円の中心を通る直線を境界とした場合の一方側の一部領域および前記境界の他方側の一部領域を削除した形状のレンズと、前記レンズの被写体側を開閉するレンズバリアと、前記レンズバリアの開放状態において前記レンズバリアの一部が、前記所定断面における前記円形状から削除された領域に配置されるよう駆動するレンズバリア駆動部と、を備えることを特徴とするレンズ鏡筒である。  
【発明の効果】
【０００８】
本発明によれば、レンズバリアを備えた小型なレンズ鏡筒を提供することができる。
【図面の簡単な説明】
【０００９】
【図１】撮影待機状態におけるカメラの縦断面を概念的に示す図である。
【図２】レンズ鏡筒が沈胴状態（縮筒状態）におけるカメラの縦断面を概念的に示す図である。
【図３】カム筒におけるバリア筒ヘリコイド溝およびレンズ室駆動カム溝の説明図であり、（ａ）は撮影待機状態を、（ｂ）は沈胴状態を、それぞれ示す。
【図４】バリア機構部分の分解斜視図である。
【図５】バリア枠とバリア羽根の分解斜視図である。
【図６】バリア羽根を結像面側から見た斜視図である。
【図７】バリア羽根を被写体側から見た図である。
【図８】図４のＡ−Ａ矢視に相当するバリア羽根が開放状態の断面図である。
【図９】図４のＢ−Ｂ矢視に相当するバリア羽根が開放状態の断面図である。
【図１０】図４のＢ−Ｂ矢視に相当するバリア羽根が閉鎖状態の図である。
【図１１】図４のＣ−Ｃ矢視に相当する連動板とバリア羽根とが組み合わされた状態の図であって、（ａ）はバリア羽根が開放状態を、（ｂ）はバリア羽根が閉鎖状態を、それぞれ示す。
【図１２】図１のＤ部拡大図である。
【発明を実施するための形態】
【００１０】
以下、図面を参照して、本発明の一実施形態について説明する。
図１は、撮影待機状態のカメラ１の縦断面を概念的に示す図である。図２は、レンズ鏡筒１０が沈胴状態（レンズ鏡筒がカメラ本体に収納された状態、縮筒状態）にあるカメラ１の縦断面を概念的に示す図である。
【００１１】
なお、各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
また、以下の説明では、特に言及しない限り、撮影光学系における固定光学系の光軸ＯＡと平行な方向の移動を「直進」、光軸ＯＡ周りの移動を「回転」と称する。撮影光学系の光軸ＯＡと平行な方向を「前後」とし、被写体側を「前面側」、結像面（撮像面）側を「背面側」とそれぞれ称する。
【００１２】
カメラ１は、ボディ部２とレンズ鏡筒１０とから構成されたデジタルカメラある。なお、本発明は、デジタルカメラに限定されるものではなく、たとえばフィルムを用いるスチルカメラにも適用可能である。
レンズ鏡筒１０は、不使用時にはボディ部２に没入し、使用時にはボディ部２から突出すると共に焦点距離を変化（ズーミング）させることのできる、いわゆる沈胴式のズームレンズである。つまり、レンズ鏡筒１０は、電力供給が停止している非撮影状態においては図２に示すようにボディ部２の内部に収縮収容され、電力が供給されると図１に示すようにボディ部２の前面側に突出して撮影待機状態となる。本実施形態の構成では、撮影待機状態はズームにおける広角端に設定されている。
【００１３】
ボディ部２は、ボディ筐体２Ａの内部にセンサユニット３を備えている。
センサユニット３は、ＣＣＤ等の撮像素子３Ａを備えている。センサユニット３は、撮像素子３Ａの撮像面がレンズ鏡筒１０の光軸ＯＡと直交する姿勢で、ＣＣＤ台４に固定されている。撮像面は、所定縦横比の横長（Ｙ軸方向の長さよりＸ軸方向の長さが長い）に設定されている。センサユニット３は、レンズ鏡筒１０によって撮像素子３Ａの撮像面に結像された画像を電気信号に変換して出力する。
【００１４】
レンズ鏡筒１０は、前述したように、焦点距離が可変なズームレンズである。レンズ鏡筒１０は、当該カメラ１における結像光学系を構成する３組のレンズ群（第１レンズ群Ｌ１，第２レンズ群Ｌ２および第３レンズ群Ｌ３）を備えている。これら３組のレンズ群は、被写体像をセンサユニット３における撮像素子３Ａの撮像面に結像させる。レンズ鏡筒１０は、レンズ群Ｌ１，Ｌ２，Ｌ３がそれぞれ光軸ＯＡ方向に移動して、焦点距離が変化する。また、第３レンズ群Ｌ３は、フォーカシングレンズ群であって、光軸ＯＡ方向に移動して結像位置を変化させる。
【００１５】
そして、カメラ１は、レンズ鏡筒１０が備えるレンズ群（第１レンズ群Ｌ１および第２レンズ群Ｌ２）が被写体像光をセンサユニット３における撮像素子３Ａの受光面に結像させ、撮影者による図示しないレリーズボタンの押圧操作によって、センサユニット３が電気信号に変換した被写体の画像情報を、図示しない記憶装置に記録（撮影）する。これら撮影を含むカメラ１における全ての動作制御は、図示しないカメラ１内の制御装置によって行われる。
【００１６】
つぎに、図１および図２に加えて図３を参照し、レンズ鏡筒１０について詳細に説明する。図３は、カム筒１７におけるバリア筒ヘリコイド溝１７Ｂおよびレンズ室駆動カム溝１７Ｃの説明図であって、（ａ）は撮影待機状態を、（ｂ）は沈胴状態を、それぞれ示す。
【００１７】
（ｂ）の沈胴状態において、レンズ鏡筒１０は、ボディ筐体２Ａと一体に構成された固定筒１１の内部に、回転筒１２、直進筒１３、１群直進筒１４、バリア筒１５が、順次Ｙ方向に小径化して多段式に配置されている。バリア筒１５の内周側には１群レンズ室１６が嵌合し、１群レンズ室１６の内周側にカム筒１７が配置されている。さらに、カム筒１７の内周側に第２レンズ枠１８が配置され、第２レンズ枠１８の背面側にシャッター機構２０と、第３レンズ枠３０とが配置されている。バリア筒１５の前面側には、開閉するバリア羽根を有し、当該バリア筒１５を含めて構成されるバリア機構４０が設けられている。
【００１８】
固定筒１１は、軸方向（光軸ＯＡ方向）に所定長さの円筒状であり、ボディ筐体２Ａに固定されている。
固定筒１１の内周面には、回転筒１２を移動駆動する回転筒駆動ヘリコイド溝１１Ａと、直進筒１３の移動を案内する直進溝１１Ｂとが、形成されている。直進溝１１Ｂと回転筒駆動ヘリコイド溝１１Ａは、たとえば、それぞれ周方向に３条ずつ形成されている。
【００１９】
回転筒駆動ヘリコイド溝１１Ａは、光軸ＯＡに対して所定の角度を有して（周方向において光軸ＯＡ方向の位置が変位する螺旋状に）形成されている。この回転筒駆動ヘリコイド溝１１Ａには、後述するように、回転筒１２の外周に突設された駆動ピン１２Ａが摺動移動可能に嵌合している。
直進溝１１Ｂは、光軸ＯＡと平行に（Ｚ軸方向に）延設されている。直進溝１１Ｂは、光軸ＯＡと平行に形成されている。この直進溝１１Ｂには、後述する直進筒１３における直進案内突起１３Ｃが、摺動移動可能に嵌合している。
【００２０】
固定筒１１の内周側には、回転筒１２が配置されている。
回転筒１２は、固定筒１１の内周に摺動移動可能に嵌合する円筒状であって、光軸ＯＡ方向に所定長さに形成されている。
回転筒１２の外周には、回転筒駆動ヘリコイド溝１１Ａに摺動移動可能に嵌合する駆動ピン１２Ａが突設されている。
回転筒１２の背面側端部の外周には、駆動入力ギア１２Ｂが形成されており、この駆動入力ギア１２Ｂは、図示しない沈胴・ズーム駆動モータと連繋している。これにより、回転筒１２は、沈胴・ズーム駆動モータによって回転駆動されるようになっている。
【００２１】
また、回転筒１２の内周面には、カム筒１７を移動操作すると共にその移動を案内する直進連動溝１２Ｃが形成されている。
直進連動溝１２Ｃは、光軸ＯＡと平行に形成されている。直進連動溝１２Ｃは、周方向に所定間隔で、例えば３条形成されている。直進連動溝１２Ｃには、後述するカム筒１７に植設されたフォロアピン１７Ａが摺動移動可能に嵌合している。
上記のように構成された回転筒１２は、図示しない沈胴・ズーム駆動モータによって回転駆動されると、その駆動ピン１２Ａが嵌合する固定筒１１の回転筒駆動ヘリコイド溝１１Ａによって直進操作される。つまり、回転筒１２は、回転しつつ直進移動するようになっている。
【００２２】
回転筒１２の内周側には、直進筒１３が配置されている。
直進筒１３は、回転筒１２の内周に摺動移動可能に嵌合する円筒状であって、光軸ＯＡ方向に所定長さに形成され、回転筒１２に対して相対回転可能且つ直進方向には相対移動不能に構成されている。
直進筒１３の内周には、直進溝１３Ａが光軸ＯＡと平行に形成されている。この直進溝１３Ａには、後述する１群直進筒１４の外周に突設された直進ガイド１４Ａが摺動移動可能に嵌合している。
【００２３】
また、直進筒１３には、カム孔１３Ｂが形成されている。カム孔１３Ｂは、光軸ＯＡに対して所定の角度を有して形成されており、当該直進筒１３を径方向内外に貫通している。カム孔１３Ｂには、後述するカム筒１７のフォロアピン１７Ａが摺動移動可能に嵌合している。
さらに、直進筒１３の背面側の端部には、直進案内突起１３Ｃが外周側に突設されている。直進案内突起１３Ｃは、固定筒１１の直進溝１１Ｂに摺動移動可能に嵌合している。
上記のように構成された直進筒１３は、その直進案内突起１３Ｃが固定筒１１の直進溝１１Ｂ嵌合しているため、回転筒１２が回転しつつ直進移動するのに伴って、回転することなく回転筒１２と共に直進移動する。
【００２４】
直進筒１３の内周側には、１群直進筒１４が配置されている。
１群直進筒１４は、直進筒１３の内周に摺動移動可能に嵌合する円筒状であって、光軸ＯＡ方向に所定長さに形成されている。
１群直進筒１４の外周には、直進ガイド１４Ａが形成されている。直進ガイド１４Ａは、直進筒１３の直進溝１３Ａに摺動移動可能に嵌合している。
【００２５】
１群直進筒１４の内周には、直進ガイド溝１４Ｂが形成されている。直進ガイド溝１４Ｂは、光軸ＯＡと平行に形成されており、この直進ガイド溝１４Ｂには、後述するバリア筒１５の外周に突設されたガイド突起１５Ａが摺動移動可能に嵌合している。
また、１群直進筒１４は、その背面側の端部において、後述するカム筒１７と、光軸方向には移動不能且つ相対回転は可能に係合している。
上記のように構成された１群直進筒１４は、後述するカム筒１７に対して相対回転可能且つ光軸方向には移動不能に設けられており、その直進ガイド１４Ａが直進筒１３の直進溝１３Ａに嵌合しているため、回転することなくカム筒１７と共に直進移動する。
【００２６】
１群直進筒１４の内周には、バリア筒１５が配置されている。
バリア筒１５は、１群直進筒１４の内周に摺動移動可能に嵌合する円筒状であって、光軸ＯＡ方向に所定長さに形成されている。バリア筒１５は、前述したように、開閉するバリア羽根を備えたバリア機構４０を構成している。
【００２７】
バリア筒１５の外周には、ガイド突起１５Ａが突設されている。ガイド突起１５Ａは、１群直進筒１４の直進ガイド溝１４Ｂに摺動移動可能に嵌合している。
バリア筒１５の内周には、レンズ案内溝１５Ｂが光軸ＯＡと平行に形成されている。このレンズ案内溝１５Ｂには、後述する１群レンズ室１６の外周に形成されたガイド突条１６Ｂが摺動移動可能に嵌合している。
【００２８】
また、バリア筒１５の内周背面側端部近傍には、被駆動キー１５Ｃが突設されている。この被駆動キー１５Ｃは、後述するカム筒１７の外周に形成されたバリア筒ヘリコイド溝１７Ｂに摺動移動可能に嵌合している。
【００２９】
上記のように構成されたバリア筒１５は、そのガイド突起１５Ａが１群直進筒１４の直進ガイド溝１４Ｂに嵌合しているため、回転することなく、その被駆動キー１５Ｃが嵌合するカム筒１７のバリア筒ヘリコイド溝１７Ｂによって操作され、カム筒１７の回転に伴って直進移動する。
なお、このバリア筒１５を含むバリア機構４０については、後に詳述する。
【００３０】
バリア筒１５の内周側には、１群レンズ室１６が配置されている。
１群レンズ室１６は、バリア筒１５の内周に摺動移動可能に嵌合する円筒状であって、光軸ＯＡ方向に所定長さに形成されている。１群レンズ室１６は、その前面側の内周側に突設された支持部１６Ａによって第１レンズ群Ｌ１を支持している。
【００３１】
１群レンズ室１６の外周には、ガイド突条１６Ｂが光軸ＯＡと平行に突設されている。このガイド突条１６Ｂは、バリア筒１５のレンズ案内溝１５Ｂに摺動移動可能に嵌合している。
１群レンズ室１６の内周には、カムフォロア１６Ｃが突設されている。このカムフォロア１６Ｃは、後述するカム筒１７の外周に形成されたレンズ室駆動カム溝１７Ｃに摺動移動可能に嵌合している。
【００３２】
上記のように構成された１群レンズ室１６は、そのカムフォロア１６Ｃがカム筒１７のレンズ室駆動カム溝１７Ｃによって操作され、ガイド突条１６Ｂがバリア筒１５のレンズ案内溝１５Ｂに嵌合しているために回転することなくカム筒１７の回転に伴って直進移動する。
【００３３】
ここで、１群レンズ室１６に支持された第１レンズ群Ｌ１を前面側から見ると、第１レンズ群Ｌ１の前面部は、前述したセンサユニット３の撮像素子３Ａにおける所定縦横比で横長の撮像面と対応して、第１レンズ群Ｌ１の上部と下部とがカットされた形状である（図４参照）。つまり、第１レンズ群Ｌ１の上下（Ｙ軸方向両側）の縁は平行な直線状に形成され、第１レンズ群Ｌ１の左右（Ｘ軸方向両側）の縁は円弧状となっている（以下、この形状を樽形と呼ぶ）。また、所定ＸＹ平面における上述の樽形は、その所定ＸＹ平面上のＸ軸と平行かつ光軸ＯＡと交わる直線を基準として対称形状である。この第１レンズ群Ｌ１における前面部の上下のカットは、当該第１レンズ群Ｌ１の上下に後述するバリア機構４０におけるバリア羽根５０を収容するための空間を形成するために行われている。これにより、レンズ鏡筒１０の外径の大径化を抑制しつつ第１レンズ群Ｌ１を極力前面側（被写体側）に突出させることができ、広い写角を得ることが可能となっている。
【００３４】
図１及び２に戻り、１群レンズ室１６の内周側には、カム筒１７が配置されている。
カム筒１７は、１群レンズ室１６の内周に摺動移動可能に嵌合する円筒状であって、光軸ＯＡ方向に所定長さに形成されている。
カム筒１７の背面側端部近傍の外周には、フォロアピン１７Ａが突設されている。フォロアピン１７Ａは、直進筒１３のカム孔１３Ｂに摺動移動可能に嵌合してこれを貫通し、その先端が回転筒１２の直進連動溝１２Ｃに摺動移動可能に嵌合している。
【００３５】
また、カム筒１７の外周には、カム筒１７の外周面を展開して表した図３に示すように、バリア筒ヘリコイド溝１７Ｂと、レンズ室駆動カム溝１７Ｃとが形成されている。バリア筒ヘリコイド溝１７Ｂとレンズ室駆動カム溝１７Ｃとは、本実施形態では、周方向にそれぞれ３条形成されている。なお、図３（ａ）は撮影待機状態、（ｂ）は沈胴状態、をそれぞれ示す。
【００３６】
バリア筒ヘリコイド溝１７Ｂは、光軸ＯＡと直交する方向に延びる沈胴伸縮操作部１７Ｂａと、この沈胴伸縮操作部１７Ｂａと連続して光軸ＯＡに対して所定の角度を有して前面側に延びる伸長操作部１７Ｂｂと、を備えている。このバリア筒ヘリコイド溝１７Ｂには、バリア筒１５の被駆動キー１５Ｃが摺動移動可能に嵌合している。被駆動キー１５Ｃは、図３（ｂ）に示す沈胴状態から図３（ａ）に示す撮影待機状態との間では沈胴伸縮操作部１７Ｂａを移動し、さらに撮影待機状態より先のズーミングの際に伸長操作部１７Ｂｂを移動するように設定されている。
【００３７】
レンズ室駆動カム溝１７Ｃは、光軸ＯＡと直交する方向に延びる沈胴基部１７Ｃａと、沈胴基部１７Ｃａと連続してバリア筒ヘリコイド溝１７Ｂにおける伸長操作部１７Ｂｂと平行に前面側に延びる沈胴伸長操作部１７Ｃｂと、この沈胴伸長操作部１７Ｃｂの先端と連続して光軸ＯＡと直交する方向に延びる待機基部１７Ｃｃと、この待機基部１７Ｃｃから連続してバリア筒ヘリコイド溝１７Ｂにおける伸長操作部１７Ｂｂと平行に前面側に延びるズーミング操作部１７Ｃｄと、を備えている。
レンズ室駆動カム溝１７Ｃには、１群レンズ室１６のカムフォロア１６Ｃが摺動移動可能に嵌合している。カムフォロア１６Ｃは、図３（ｂ）に示す沈胴状態から図３（ａ）に示す撮影待機状態との間では沈胴基部１７Ｃａから沈胴伸長操作部１７Ｃｂを移動し、撮影待機状態では待機基部１７Ｃｃに位置する。さらに撮影待機状態より先のズーミングの際には、カムフォロア１６Ｃは、ズーミング操作部１７Ｃｄを移動するように設定されている。
【００３８】
図１に戻り、さらに、カム筒１７の内周には、第２レンズ枠駆動カム溝１７Ｄが形成されている。第２レンズ枠駆動カム溝１７Ｄは、光軸ＯＡに対して所定の角度を有して形成されており、後述する第２レンズ枠１８の外周に突設された第２レンズ枠カムフォロア１８Ａが摺動移動可能に嵌合している。
また、カム筒１７の前面側所定位置には、後述するバリア機構４０におけるバリア羽根５０を開閉駆動操作するバリア操作突起１７Ｅが突設されている（図４参照）。
【００３９】
カム筒１７は、回転筒１２の回転によって、そのフォロアピン１７Ａが回転筒１２の直進連動溝１２Ｃによって回転操作されると共に、直進筒１３のカム孔１３Ｂによって直進操作される。つまり、カム筒１７は、回転筒１２の回転に伴って、回転しつつ直進移動する。
【００４０】
カム筒１７は、その回転・直進移動により、バリア筒ヘリコイド溝１７Ｂに嵌合した被駆動キー１５Ｃを介してバリア筒１５を移動操作し、また、レンズ室駆動カム溝１７Ｃに嵌合したカムフォロア１６Ｃを介して１群レンズ室１６を移動操作し、さらに、第２レンズ枠駆動カム溝１７Ｄに嵌合した第２レンズ枠カムフォロア１８Ａを介して第２レンズ枠１８を移動操作する。
【００４１】
ここで、前述したバリア筒ヘリコイド溝１７Ｂとレンズ室駆動カム溝１７Ｃの形状により、カム筒１７の回転・直進移動に伴うバリア筒１５と１群レンズ室１６の移動状況が異なり、その結果、図１に示す撮影待機状態と図２に示す沈胴状態とでは、バリア筒１５と１群レンズ室１６の相対位置が異なる。
【００４２】
すなわち、図１に示す撮影待機状態では、バリア筒１５の前面部に設けられた後述するバリア羽根５０の内羽根５２よりも、１群レンズ室１６に保持された第１レンズ群Ｌ１の前面が前面側に突出する。また、図２に示す沈胴状態では、１群レンズ室１６に保持された第１レンズ群Ｌ１の前面は、バリア羽根５０の内羽根５２よりも背面側に位置する。これにより、沈胴状態においてバリア羽根５０の閉鎖が可能となっている。換言すれば、撮影待機状態においては、第１レンズ群Ｌ１の前面がバリア羽根５０よりも前面側に突出し、より広い写角が得られるようになっている。
【００４３】
上記の構造によって、レンズ鏡筒１０は、図１に示すように固定筒１１から回転筒１２（直進筒１３）および１群直進筒１４が所定量突出した撮影待機状態と、図２に示すように回転筒１２および１群直進筒１４がほとんど固定筒１１に収容された沈胴状態と、の間で収縮／伸長する。なお、図１に示す撮影待機状態は、ズーム範囲において最も広角側（焦点距離が短い側の端）であって、この状態から各レンズ群Ｌ１，Ｌ２，Ｌ３が光軸ＯＡ方向にさらに移動して長焦点側へズーミングするようになっている。
【００４４】
カム筒１７の内周側には、第２レンズ枠１８が配設されている。
第２レンズ枠１８は、カム筒１７の内周に摺動移動可能に嵌合する円筒状であって、光軸ＯＡ方向に所定長さに形成され、その内周に、第２レンズ群Ｌ２を保持している。
第２レンズ枠１８の外周には、第２レンズ枠カムフォロア１８Ａが突設されている。この第２レンズ枠カムフォロア１８Ａは、カム筒１７の第２レンズ枠駆動カム溝１７Ｄに摺動移動可能に嵌合している。
また、第２レンズ枠１８の外周には、直進案内溝１８Ｂが形成されている。この直進案内溝１８Ｂには、次に述べる直進キー１９のキー部１９Ｂが摺動移動可能に嵌合している。
【００４５】
直進キー１９は、直進嵌合部１９Ａと、前面側に延設されたキー部１９Ｂとを備えている。直進嵌合部１９Ａは、直進筒１３に設けられた直進キー溝１３Ｄ摺動移動可能に嵌合している。また、キー部１９Ｂは、上述のように第２レンズ枠１８の直進案内溝１８Ｂに摺動移動可能に嵌合している。また、カム筒１７に植設されたフォロアピン１７Ａの内径側には、カム側バヨネット凹部１７Ｅが設けられ、一方、直進キー１９にはそのカム側バヨネット凹部１７Ｅとバヨネット結合するキー側凸部１９Ｅが設けられている。そして、カム側バヨネット凹部１７Ｅとキー側凸部１９Ｅとはバヨネット結合している。このため、直進キー１９はカム筒１７とともに光軸方向に移動するが、直進キー溝１３Ｄと直進嵌合部１９Ａとの嵌合により回転が防止されている。そして、第２レンズ枠１８は、その第２レンズ枠カムフォロア１８Ａがカム筒１７の第２レンズ枠駆動カム溝１７Ｄによって操作され、直進案内溝１８Ｂに直進キー１９が嵌合しているので、回転することなくカム筒１７の回転に伴って直進移動する。
【００４６】
図１に示す撮影待機状態では、回転筒１２（直進筒１３）は固定筒１１から所定量突出し、さらに、１群直進筒１４は回転筒１２から所定量突出する。また、バリア筒１５の前面側に設けられた後述するバリア機構４０の前面は、１群直進筒１４の前面と略一致し、バリア羽根５０は開放状態となる。
図２に示す沈胴状態では、回転筒１２（直進筒１３）と１群直進筒１４の前面は一致した状態で固定筒１１の前面から所定量突出する。また、バリア機構４０の前面も、これらと略一致し、バリア羽根５０は閉鎖状態となる。
【００４７】
つぎに、前述した図１〜図３に加えて、図４〜図１２を参照して、バリア機構４０について詳細に説明する。
図４は、バリア機構４０の分解斜視図である。図５は、バリア枠４１とバリア羽根５０の分解図である。図６は外羽根５１と、内羽根５２を結像面側から見た斜視図であり、図７は外羽根５１と、内羽根５２を被写体側から見た図である。図８は、図４のＡ−Ａ矢視に相当するバリア羽根５０が開放状態の断面図である。図９は、図４のＢ−Ｂ矢視に相当するバリア羽根５０が開放状態の断面図である。図１０は、図９と対応するバリア羽根５０が閉鎖状態の図である。図１１は、図４のＣ−Ｃ矢視に相当する連動板４４とバリア羽根５０とが組み合わされた状態の図であって、（ａ）はバリア羽根５０が開放状態を、（ｂ）はバリア羽根５０が閉鎖状態を、それぞれ示す。図１２は、図１のＤ部拡大図である。
【００４８】
バリア機構４０は、分解斜視図である図４に示すように、バリア筒１５の前面側にバリア枠４１が装着され、そのバリア筒１５とバリア枠４１の間に、バリア羽根５０と、シート４２と、バリア押さえ板４３と、連動板４４とが、重ねた状態で配置されて構成されている。また、バリア枠４１の前面側には、飾り環４５が被せられている。
【００４９】
バリア筒１５とバリア枠４１とは、バリア筒１５の前面側に設けられた突出部とバリア枠４１の外周に設けられた係合部とが、いわゆるスナップフィットすることでバリア筒１５の前面側にバリア枠４１が装着一体化されている。
バリア筒１５の内周側には、前述したように、１群レンズ室１６が配置され、１群レンズ室１６の内周側にカム筒１７が配置されている。
また、カム筒１７の前面側所定位置には、前述したように、バリア操作突起１７Ｅが突設されている。
【００５０】
バリア枠４１は、図５に示すように、前面側に前面板４１Ａを備える円環状であって、光軸ＯＡ方向には所定厚さを有している。前面板４１Ａには、第１レンズ群Ｌ１の前面形状と対応する（僅かに小さい）樽形の開口部４１Ｂが形成されている。また、バリア枠４１の背面側には、後述する連動板４４を回転付勢するための回転付勢バネ４６の端部が係止されるバネ係止部４１Ｃが突設されている。バネ係止部４１Ｃは、光軸ＯＡを挟む対称位置に２箇所配置されている。
【００５１】
バリア羽根５０は、外上羽根５１Ｕと、外下羽根５１Ｌと、内上羽根５２Ｕと、内下羽根５２Ｌとにより構成されている。外上羽根５１Ｕと外下羽根５１Ｌとは光軸ＯＡを挟んで点対称となる形状に形成され、内上羽根５２Ｕと内下羽根５２Ｌとは光軸ＯＡを挟んで点対称となる形状に形成されているため、以下の説明では、特に必要がある場合を除いて、外上羽根５１Ｕと外下羽根５１Ｌとを「外羽根５１」とし、内上羽根５２Ｕと内下羽根５２Ｌとを「内羽根５２」として説明する。また、外上羽根５１Ｕと内上羽根５２Ｕとを支持する羽根支持軸４１Ｄａ及び、外下羽根５１Ｌと内下羽根５２Ｌとを支持する羽根支持軸４１Ｄｂも、特に必要がある場合を除いて合わせて羽根支持部４１Ｄとして説明する。
【００５２】
外羽根５１は、図５に示すようにバリア枠４１の前面板４１Ａの背面側に隣接して配置されている。そして、図６に示すように外羽根５１の周方向一方の端には、バリア枠４１の羽根支持軸４１Ｄに嵌合する穴５１ａが設けられている。この穴５１ａの外周側には、操作突起５１ｂが形成されている。また、外羽根５１の外側の縁の周方向略中央部背面側には、内羽根５２によって操作される被操作突起５１ｄが突設されている。
【００５３】
内羽根５２は、図５に示すように外羽根５１の背面側に、隣接して配置されている。そして、図６に示すように内羽根５２の周方向一方の端には、バリア枠の羽根支持軸４１Ｄに嵌合する穴５２ａが設けられている。穴５２ａの外周側には、当該内羽根５２を揺動付勢する揺動付勢バネ４７の端部が係止されるバネ係止部５２ｂが、前後に所定量突出して形成されている。
【００５４】
図８〜図１０に示すように、外上羽根５１Ｕと内上羽根５２Ｕとは、開口部４１ＢのＸ軸プラス側に位置する羽根支持軸４１Ｄａにそれぞれ揺動可能に支持されている。一方、外下羽根５１Ｌと内下羽根５２Ｌとは、開口部４１ＢのＸ軸マイナス側に位置する羽根支持軸４１Ｄｂにそれぞれ揺動可能に支持されている。そして、外上羽根５１Ｕと内上羽根５２Ｕとが羽根支持軸４１Ｄａを中心として揺動すると共に、外下羽根５１Ｌと内下羽根５２Ｌとが羽根支持軸４１Ｄｂを中心として揺動し、開口部４１Ｂを開閉する。
【００５５】
図８および図９に示すように、バリア羽根５０がバリア枠４１の開口部４１Ｂを開放した状態（開放状態）では、外上羽根５１Ｕと内上羽根５２Ｕとが重なって、開口部４１Ｂの上側（Ｙ軸プラス側）の開口縁とバリア枠４１の外周面との間に収容される。また、外下羽根５１Ｌと内下羽根５２Ｌとが重なって、開口部４１Ｂの下側（Ｙ軸マイナス側）の開口縁とバリア枠４１の外周面との間に収容される。本実施形態では、このようにバリア羽根５０が開口部４１Ｂを開放した図８，図９および図１１（ａ）に示す開放状態が基本的な状態であり、この開放状態から連動板４４が操作されることで図１０および図１１（ｂ）に示す閉鎖状態となる。
【００５６】
バリア羽根５０が、バリア枠４１の開口部４１Ｂを閉鎖した状態（閉鎖状態）は、図１０に示すように、外上羽根５１Ｕと内上羽根５２Ｕとでバリア枠４１の開口部４１Ｂの略上半分を覆い、外下羽根５１Ｌと内下羽根５２Ｌとで開口部４１Ｂの略下半分を覆う。すなわち、内上羽根５２Ｕと内下羽根５２Ｌの内縁５２ｃが合致して開口部４１Ｂの中央を塞ぎ、内上羽根５２Ｕと内下羽根５２Ｌの外縁と開口部４１Ｂの縁との間の隙間を、外上羽根５１Ｕおよび外下羽根５１Ｌが塞ぎ、これによって開口部４１Ｂの全面を覆うようになっている。
【００５７】
また、外羽根５１の内側（光軸ＯＡ側）の内縁５１ｃは、開放状態には、開口部４１Ｂの縁の僅か外側に、第１レンズ群Ｌ１のカットされた端面よりも内側（光軸側）平行に位置するように設定されている。
【００５８】
外羽根５１の内縁５１ｃの端面は、図１のＤ部拡大図である図１２に示すように、背面側に広がる方向（背面側が光軸ＯＡから離れる方向）に所定の角度で斜めに形成されている。この内縁５１ｃの端面の傾斜角度は、第１レンズ群Ｌ１の前面の曲面と対応している。これにより、図１に示す撮影待機時において第１レンズ群Ｌ１の前面を外羽根５１に極めて近接させることができ、その結果、第１レンズ群Ｌ１を極力前面側（被写体側）に突出させて、より広い写角を得ることが可能となる。なお、第１レンズ群Ｌ１の前面の端縁を外羽根５１より突出させればこのような構成は必要ないが、外羽根５１をさらに外側（光軸からみたときに外方側）に配置しなくてはならなくなるため、レンズ鏡筒１０の外径が大きくなってしまう。第１レンズ群Ｌ１のカットした端面は、そもそも光学的に利用されない部分であるので、外羽根５１の内縁５１ｃを第１レンズ群Ｌ１の前面の縁に僅かに重合させても光学性能に影響しない。
【００５９】
内羽根５２の内側（光軸ＯＡ側）の内縁５２ｃは、撮影待機時において図１のＤ部拡大図である図１２に示すように、第１レンズ群Ｌ１における前面部の上下のカット辺より外側に位置し、当該内羽根５２と干渉することなく、第１レンズ群Ｌ１の前面を外羽根５１に近接させることができるように設定されている。
【００６０】
バリア押さえ板４３は、薄板状であって、バリア枠４１と対応する形状に形成されている。バリア押さえ板４３には、略Ｘ軸上の光軸ＯＡを挟んで対称となる位置に、２箇所ビス穴が設けられている。その穴には図４に示すようにビス４３Ａが挿入され、そのビス４３Ａは、バリア枠４１のビス受け４１ｘ（図５，９，１０参照）に締結されている。
【００６１】
連動板４４は、バリア枠４１の内部に収まる略円環状であって、図１１に示すように、回転付勢バネ４６の端部が係止される係止ボス４４Ａと、バリア羽根５０（内羽根５２）を揺動付勢する揺動付勢バネ４７の端部が固定される固定ボス４４Ｂとを備えている。係止ボス４４Ａと固定ボス４４Ｂとは、それぞれ光軸ＯＡを挟む対称位置２箇所に配置されている。
【００６２】
また、連動板４４の背面側所定位置には、被操作部４４Ｃが周方向に等間隔（１２０°）で３箇所突設されている。この被操作部４４Ｃは、レンズ鏡筒１０が沈胴状態において、カム筒１７のバリア操作突起１７Ｅによって回転押圧されて、連動板４４を図１１において時計回りに回転させる機能を有する。
【００６３】
回転付勢バネ４６は、一方の端部がバリア枠４１のバネ係止部４１Ｃに係止され、他方の端部が連動板４４の係止ボス４４Ａに係止されている。回転付勢バネ４６は、光軸ＯＡを挟んで対称位置に２箇所配置されている。回転付勢バネ４６は、その弾性復帰力によって、連動板４４をバリア枠４１に対して図１１中反時計回りに回転付勢している。
【００６４】
揺動付勢バネ４７は、一方の端部が連動板４４の固定ボス４４Ｂに固定され、他方の端部が内羽根５２のバネ係止部５２ｂに係止されている。揺動付勢バネ４７は、２枚の内羽根５２（内上羽根５２Ｕおよび内下羽根５２Ｌ）に対して、それぞれ設けられている。つまり、揺動付勢バネ４７は、光軸ＯＡを挟む対称位置に２箇所配置されている。揺動付勢バネ４７は、その弾性復帰力によって、内羽根５２を閉じ側に揺動付勢している。
【００６５】
揺動付勢バネ４７によって閉じ側に揺動付勢された内羽根５２は、連動板４４の反時計回りの回転によって連動板４４に設けられた端面４４ｘが内羽根５２ｂを押し上げて内羽根５２ｂが反時計回りに回転し、この回転によって操作凹部５２ｄが外羽根５１の被操作突起５１ｄを押圧し、外羽根５１を開放状態側に揺動操作する。
これにより、外羽根５１と内羽根５２とが重なって、開口部４１Ｂの開口縁とバリア枠４１の外周面との間に収容された開状態となる。
【００６６】
上記のように構成されたバリア機構４０では、連動板４４は回転付勢バネ４６の付勢力でその回転可能な範囲中の一方の端に位置（以下、これを連動板４４の自由位置と呼ぶ）する。この自由位置では、外羽根５１と内羽根５２とが重なって開口部４１Ｂの開口縁とバリア枠４１の外周面との間に収容され、開口部４１Ｂを開放する開放状態となる。
【００６７】
ここで、レンズ鏡筒１０が沈胴状態では、連動板４４がカム筒１７によって回転付勢バネ４６の付勢力に抗して所定角度回動操作される。すなわち、連動板４４の被操作部４４Ｃと、カム筒１７のバリア操作突起１７Ｅとが干渉し、被操作部４４Ｃがバリア操作突起１７Ｅによって押圧操作され、その結果、連動板４４が所定角度回動するようになっている。これにより、下記のように作用して、バリア羽根５０が閉鎖状態となる。
【００６８】
すなわち、開放状態から、回転付勢バネ４６の付勢力に抗して連動板４４が図中時計回りに回動操作されると、外羽根５１および内羽根５２を支持する羽根支持軸４１Ｄに対して固定ボス４４Ｂが移動する。これにより、固定ボス４４Ｂと内羽根５２のバネ係止部５２ｂとの間に架設された揺動付勢バネ４７を介して内羽根５２が閉鎖側に揺動操作される。内羽根５２が閉鎖側に揺動すると、そのバネ係止部５２ｂが外羽根５１の操作突起５１ｂを押圧して、外羽根５１を閉鎖側に揺動操作する。その結果、外羽根５１と内羽根５２とが開口部４１Ｂを閉ざした閉鎖状態となる。
【００６９】
レンズ鏡筒１０が、沈胴状態から伸長して撮影待機状態になる際には、カム筒１７のバリア操作突起１７Ｅによる、連動板４４の被操作部４４Ｃに対する押圧操作が解除される。これにより、連動板４４は回転付勢バネ４６の弾性復帰力によって回転して自由位置に戻る。その結果、上述したように外羽根５１と内羽根５２とが重なって開口部４１Ｂを開放する開放状態となる。
【００７０】
上記のように、バリア機構４０は、図１に示すレンズ鏡筒１０が撮影待機状態ではバリア羽根５０が開いて開口部４１Ｂが開放状態となり、図２に示すレンズ鏡筒１０が沈胴状態では開口部４１Ｂをバリア羽根５０によって閉ざした閉鎖状態となる。
図１に示すバリア機構４０のバリア羽根５０が開放状態となる撮影待機状態では、前述したように、バリア羽根５０は、外上羽根５１Ｕと内上羽根５２Ｕとが重なって、第１レンズ群Ｌ１の前面形状と対応する樽方の開口部４１Ｂの上側（Ｙ軸プラス側）の開口縁とバリア枠４１の外周面との間に収容される。また、外下羽根５１Ｌと内下羽根５２Ｌとが重なって、開口部４１Ｂの下側（Ｙ軸マイナス側）の開口縁とバリア枠４１の外周面との間に収容される。これにより、レンズ鏡筒１０の外径を大径化することなくバリア羽根５０を合理的に収容することができる。
【００７１】
また、バリア羽根５０の外羽根５１における内縁５１ｃの端面は、第１レンズ群Ｌ１の前面の曲面と対応する角度で背面側に広がる傾斜面となっている。これにより、第１レンズ群Ｌ１の前面を外羽根５１に極めて近接させることができ、その結果、第１レンズ群Ｌ１を極力前面側（被写体側）に突出させて、より広い写角を得ることが可能となる。
【００７２】
以上、本実施形態によると、以下の効果を有する。
（１）レンズ鏡筒１０において最も前面側に位置する第１レンズ群Ｌ１の前面部は、センサユニット３の撮像素子３Ａにおける所定縦横比で横長の撮像面と対応して、上下方向に所定間隔でカットされて樽形に形成されている。そして、バリア羽根５０は、その第１レンズ群Ｌ１のカットされた上下の部分に収容されるように構成されている。これにより、レンズ鏡筒１０の外径を大径化することなくバリア羽根５０を合理的に収容することができ、レンズ鏡筒１０を小型で低コストに構成することができる。
【００７３】
（２）バリア羽根５０を構成する外羽根５１の内縁５１ｃは、第１レンズ群Ｌ１の前面の曲面と対応して背面側に広がる方向（背面側が光軸ＯＡから離れる方向）に傾斜して形成されている。これにより、第１レンズ群Ｌ１を前面寄りに位置させることが可能となり、広い写角を得ることが可能となる。
【００７４】
（変形形態）
以上、説明した実施形態に限定されることなく、以下に示すような種々の変形や変更が可能であり、それらも本発明の範囲内である。
（１）本実施形態では、レンズ鏡筒１０において最も前面側に位置する第１レンズ群Ｌ１の前面は、撮影待機時においてバリア羽根５０を構成する内羽根５２より前面側で外羽根５１より背面側に位置する。しかし、この状態は、撮影待機時に限るものではなく、第１レンズ群Ｌ１が最も突出する際にこのような状態になる設定とすれば良い。また、第１レンズ群Ｌ１の前面が外羽根５１より前面側に突出する構成としても良い。
（２）沈胴およびズーム機構は、上記実施形態において説明した構成に限らず、適宜変更可能なである。
【００７５】
なお、実施形態及び変形形態は、適宜組み合わせて用いることもできるが、詳細な説明は省略する。また、本発明は以上説明した実施形態によって限定されることはない。
【符号の説明】
【００７６】
１：カメラ、３Ａ：撮像素子、１０：レンズ鏡筒、１５：バリア筒、２０：シャッター機構、４０：バリア機構、４１：バリア枠、４１Ｂ：開口部、５０：バリア羽根、５１Ｕ：外上羽根、５１Ｌ：外下羽根、５１ｃ：内縁、５２Ｕ：内上羽根、５２Ｌ：内下羽根、Ｌ１：第１レンズ群、ＯＡ：光軸
【図１】
2011154167.tif 000003
【図２】
2011154167.tif 000004
【図３】
2011154167.tif 000005
【図４】
2011154167.tif 000006
【図５】
2011154167.tif 000007
【図６】
2011154167.tif 000008
【図７】
2011154167.tif 000009
【図８】
2011154167.tif 000010
【図９】
2011154167.tif 000011
【図１０】
2011154167.tif 000012
【図１１】
2011154167.tif 000013
【図１２】
2011154167.tif 000014